(57)【要約】【課題】  取付角度を調整可能なパネル体を提供する。【解決手段】  パネル本体と、パネル本体を被取付材に取り付けるブラケットを備え、パネル本体は、ブラケット側に縦材を有しており、縦材とブラケットは、対向部の一方に溝部を有しており、他方に挿嵌部を有していて、挿嵌部は溝部にクリアランスを有して嵌まっており、縦材のボルト孔にボルトを挿通してブラケットをボルト止めしてあり、ボルト孔のボルトに対するクリアランス寸法が、溝部の挿嵌部に対するクリアランス寸法以上である。【選択図】      図１
2019002222.tif 000002
【特許請求の範囲】
【請求項１】
パネル本体と、パネル本体を被取付材に取り付けるブラケットを備え、パネル本体は、ブラケット側に縦材を有しており、縦材とブラケットは、対向部の一方に溝部を有しており、他方に挿嵌部を有していて、挿嵌部は溝部にクリアランスを有して嵌まっており、縦材のボルト孔にボルトを挿通してブラケットをボルト止めしてあり、ボルト孔のボルトに対するクリアランス寸法が、溝部の挿嵌部に対するクリアランス寸法以上であることを特徴とするパネル体。
【発明の詳細な説明】
【技術分野】
【０００１】
本発明は、集合住宅のベランダに設置される手摺などとして用いられるパネル体に関する。
【背景技術】
【０００２】
集合住宅のベランダに設置される手摺において、図８（ａ）、（ｂ）に示すように、手摺本体１０１の縦材１０３を上下のブラケット１０２により被取付材である外壁１１０に取り付けたものがある。従来、このような縦材１０３とブラケット１０２の連結部は、互いにフラットな対向面同士を当接させ、両者を貫通するボルト１０６によりボルト止めしていた。
【発明の概要】
【発明が解決しようとする課題】
【０００３】
しかしながら、このような手摺においては、ブラケット１０２に対して縦材１０３の内外方向の位置を調整することができず、すなわち縦材１０３の内外方向の傾斜角度を調整することができなかった。よって、たとえば外壁１１０が外側に傾斜していて、上下のブラケット１０２の内外方向位置がずれると、縦材１０３（手摺本体１０１）も外側に傾斜した状態で取り付けるしかなかった。
【０００４】
本発明は、上記事情を鑑みたものであり、取付角度を調整可能なパネル体を提供することを目的とする。
【課題を解決するための手段】
【０００５】
本発明は、パネル本体と、パネル本体を被取付材に取り付けるブラケットを備え、パネル本体は、ブラケット側に縦材を有しており、縦材とブラケットは、対向部の一方に溝部を有しており、他方に挿嵌部を有していて、挿嵌部は溝部にクリアランスを有して嵌まっており、縦材のボルト孔にボルトを挿通してブラケットをボルト止めしてあり、ボルト孔のボルトに対するクリアランス寸法が、溝部の挿嵌部に対するクリアランス寸法以上であることを特徴とする。
【発明の効果】
【０００６】
本発明によれば、縦材とブラケットの一方に設けた溝部に対して、他方に設けた挿嵌部が、クリアランスを有して嵌まるものなので、クリアランスの範囲内でブラケットに対する縦材の取付位置を調整可能である。よって、ブラケットを取り付ける外壁が傾斜している場合などであっても、角度を調整して縦材を垂直に取り付けることができる。そして、ボルト孔のボルトに対するクリアランス寸法が、溝部の挿嵌部に対するクリアランス寸法以上なので、取付位置の調整時にボルトがボルト孔に干渉しない。
【図面の簡単な説明】
【０００７】
【図１】パネル体の第一実施形態の縦材とブラケットの連結部の説明図であり、（ａ）は平面図、（ｂ）は側面図（右側視図）である。
【図２】パネル体の第一実施形態の縦材とブラケットの連結部の分解斜視図である。
【図３】パネル体の第一実施形態の全体図であり、（ａ）は正面図、（ｂ）はＡ−Ａ線断面図、（ｃ）はＢ−Ｂ線断面図、（ｄ）はＣ−Ｃ線断面図である。
【図４】パネル体の第一実施形態の縦材とブラケットの連結部の拡大図である。
【図５】パネル体の第二実施形態の縦材とブラケットの連結部の説明図である。
【図６】パネル体の第三実施形態の縦材とブラケットの連結部の説明図である。
【図７】パネル体の第四実施形態の縦材とブラケットの連結部の説明図である。
【図８】従来の手摺を示し、（ａ）は縦材とブラケットの連結部の平面図、（ｂ）は正面図である。
【発明を実施するための形態】
【０００８】
以下、本発明の実施の形態を図面に基づいて説明する。このパネル体は、種々の用途に用いられるものであるが、ここでは集合住宅のベランダにおいて、既存の手摺に替えて設置した改修手摺の場合を例に挙げる。なお、以下において左右とは、図３（ａ）に示すように、このパネル体を建物の外側から正面視した場合の左右を表す。
【０００９】
図３に示すように、このパネル体は、パネル本体１と、パネル本体１を被取付材である外壁１０に取り付けるブラケット２ａ，２ｂを備える。パネル本体１は、左右の縦材３と、上材１１と下材１２とを四周組んで形成した枠体の内周側に、複数本の縦桟１３を並べて取り付けたものである。より詳しくは、左右の縦材３の上端面に上材１１の端部の下面を当接させて固定してあり、左右の縦材３の下端部の側面に下材１２の端面を当接させて固定してあり、左右の縦材３の下端部と、上材１１の両端部には、キャップ材を取り付けてある。そして、ベランダの外壁１０に形成した上側に開口する略コ字形の開口部に、パネル本体１を納め、パネル本体１の左右端部を、それぞれ上下２つのブラケット２ａ，２ｂにより、被取付材である外壁１０に固定してある。すなわち、パネル本体１の左右の縦材３は、ブラケット２ａ，２ｂ側に位置するものであって、縦材３の外周側面にブラケット２ａ，２ｂを固定してあり、さらにブラケット２ａ，２ｂを外壁１０に固定してある。ただし、左側のブラケット２ａと右側のブラケット２ｂは、構成が異なっており、開口部の左側において、外壁１０は見込方向（内外方向）に延びていて、ブラケット２ａは外壁１０の右側（パネル本体１側）の見込面に固定してあり、開口部の右側において、外壁１０は見付方向（左右方向）に延びていて、ブラケット２ｂは外壁１０の内側（建物側）の見付面に固定してある。また、下材１２の左右方向中央には、その下側の躯体見込面との間に支持部材１４を取り付けてある。支持部材１４は、パネル本体１を下側から支持するものであって、２つのＬ形金具を左右方向軸周りに回動自在に連結したものであり、躯体見込面の傾斜に対応するものとなっている。
【００１０】
次に、左右の縦材３とブラケット２ａ，２ｂの連結部の構成について詳述する。ここでは、図１、図２及び図４に示す、左側の縦材３及びブラケット２ａに基づいて説明する。この縦材３とブラケット２ａは、ボルト６とナット７により固定されるものである。
【００１１】
左側の縦材３は、断面略矩形の中空形材からなるものであって、その左側面（外壁１０側面）の内外方向中央部に、上下方向に延びる断面凹形の溝部４を形成してあり、溝部４の底面の内外方向中央部に、縦材３を左右方向に貫通する円形のボルト孔３１を形成してある。このボルト孔３１の内径は、挿入されるボルト６のネジ部の外径よりも大きく、ボルト孔３１の内径とボルト６のネジ部の外径の差が、ボルト孔３１のボルト６に対するクリアランス寸法となる。
【００１２】
左側のブラケット２ａは、パネル本体１の縦材３に固定するパネル側部２１と、外壁１０に固定する外壁側部２２を有し、何れも内外方向に延び、外壁１０の右側（パネル本体１側）の見込面に対向する垂直向きの板状部であるが、外壁側部２２の方が内外方向に長く、パネル側部２１の方が右側（パネル本体１側）に位置しており、かつパネル側部２１と外壁側部２２が内外方向にずれていて（パネル側部２１が外側、外壁側部２２が内側に位置する）、ブラケット２ａ全体で略Ｚ字形となっている。パネル側部２１は、右側面（パネル本体１側面）の内外方向中央部に、上下方向に延びる断面凸形の挿嵌部５を形成してある。挿嵌部５の突出高さは、縦材３の溝部４の深さと同じである。また、挿嵌部５の内外方向幅は、縦材３の溝部４の内外方向幅よりも小さく、縦材３の溝部４の内外方向幅と挿嵌部５の内外方向幅の差が、溝部４の挿嵌部５に対するクリアランス寸法となる。そして、この溝部４の挿嵌部５に対するクリアランス寸法は、上記のボルト孔３１のボルト６に対するクリアランス寸法以下の大きさとなっている。また、パネル側部２１の左側面（外壁１０側面）の挿嵌部５の裏側位置に、上下方向に延びる断面凹形の溝状の係止部２３を形成してある。係止部２３は、内外方向幅がナット７を丁度挿入可能なものであって、挿入されたナット７が回動不能となる。さらに、係止部２３の底面の上下方向中央部に、パネル側部２１を左右方向に貫通する円形のボルト挿通孔２４を形成してある。このボルト挿通孔２４は、挿嵌部５の内外方向中央部に位置し、その内径は、ボルト６のネジ部の外径と略同じである（ボルト６を挿入しやすくするため、多少のクリアランスは設けてある）。また、外壁側部２２は、内外方向及び上下方向の中央部に、略四角形の挿通孔２５を有しており、右側面に、上下方向に延び内外方向に多数連続する断面略三角波形状の凹凸からなる被係合部２６を形成してあり、左側面（外壁１０側面）に、上下に延びる断面凹形の排水溝２７を形成してある。排水溝２７は、内外に２本形成してあり、それぞれ挿通孔２５の内側端部と外側端部に位置している。
【００１３】
そして、縦材３の左側面に、ブラケット２ａのパネル側部２１の右側面を当接させ、挿嵌部５は溝部４にクリアランスを有して嵌めてあり、クリアランスの範囲内で適宜内外方向の位置を調整してある。図１及び図４は、ブラケット２ａに対して縦材３が最も外側に位置しており、挿嵌部５の内側面５１が溝部４の内側の側壁４１に当接している状態を示している（もちろん、調整の結果次第でブラケット２ａに対する縦材３の内外方向位置が異なる場合もあり得る）。そして、連通する縦材３のボルト孔３１及びブラケット２ａのボルト挿通孔２４に、縦材３側からボルト６を挿通し、ブラケット２ａの係止部２３に挿入したナット７に螺合させて縦材３とブラケット２ａをボルト止めしてある。ここで、ボルト孔３１のボルト６に対するクリアランス寸法Ｃ１（＝Ｃ１ａ＋Ｃ１ｂ）が、溝部４の挿嵌部５に対するクリアランス寸法Ｃ２以上の大きさとなっているので（Ｃ１≧Ｃ２）、ブラケット２ａに対して縦材３をどの位置に取り付けても、ボルト６がボルト孔３１に干渉しない。
【００１４】
また、このようにしてパネル本体１の縦材３に固定したブラケット２ａの外壁側部２２を、外壁１０に固定してある。外壁１０には、アンカーボルト８を埋め込んであって、先端部が外壁１０の右側（パネル本体１側）の見込面から突出している。図１（ａ）に示すように、外壁１０のパネル本体１に対向する位置には、既存の手摺の溶接下地金物Ｂやアンカーボルトなどの埋設物が埋め込まれており、そのまま新たなボルトを打ち込むことは難しく、また埋設物を撤去するとその部分が脆くなってしまい、そこに新たなボルトを打ち込んでも十分な強度が得られない。そこでアンカーボルト８は、外壁１０の、パネル本体１に対向する位置から内側にずれた位置に設けてある。
【００１５】
さらに、ブラケット２ａを外壁１０に固定する際には、押圧具９を用いる。押圧具９は、内外方向に延びる垂直向きの矩形平板状のものであって、中央にアンカーボルト８の外径と略同じ内径（アンカーボルト８を挿入しやすくするため、多少のクリアランスは設けてある）のボルト挿通孔９１を有している。また、左側面（ブラケット２ａ側面）の全面に、上下方向に延び内外方向に多数連続する断面略三角波形状の凹凸からなる係合部９２を形成してある。なお、ブラケット２ａの挿通孔２５は、押圧具９のボルト挿通孔９１より大きく押圧具９より小さいものとなっている。また、ブラケット２ａの被係合部２６の断面形状は、押圧具９の係合部９２の断面形状と同じであって、係合して相互の内外方向の移動を規制するものである。そして、ブラケット２ａの被係合部２６は、押圧具９の係合部９２よりも広く、押圧具９に対してブラケット２ａが内外方向及び上下方向にずれても、ボルト挿通孔９１が挿通孔２５の内周側に略納まる範囲内であれば、押圧具９の係合部９２の全体がブラケット２ａの被係合部２６に当接して係合する。
【００１６】
そして、ブラケット２ａの外壁側部２２の挿通孔２５にアンカーボルト８を通して外壁側部２２を外壁１０の右側の見込面に当接させてあり、ボルト挿通孔９１にアンカーボルト８を通して押圧具９をブラケット２ａの外壁側部２２に当接させてある。この際、押圧具９の係合部９２とブラケット２ａの被係合部２６が係合している。そして、ナット８１をアンカーボルト８に締結することで、押圧具９によりブラケット２ａの外壁側部２２を外壁１０に押さえ付けて固定してある。こうして、内外方向にずれたパネル本体１とアンカーボルト８に対して、それぞれブラケット２ａのパネル側部２１と外壁側部２２がボルト止めされて、ブラケット２ａを介してパネル本体１と外壁１０が固定される。
【００１７】
なお、図３に示すように、右側の縦材３及びブラケット２ｂの連結部の構成についても、左側と同様である。ただし、右側においては、ブラケット２ｂの外壁側部２２が左右方向に延び、ブラケット２ｂ全体で略Ｌ字形となっていて、外壁側部２２を外壁１０の内側（建物側）の見付面に固定してある。
【００１８】
このように構成した本発明のパネル体の第一実施形態によれば、縦材３の溝部４に対して、ブラケット２ａ，２ｂの挿嵌部５が、クリアランスを有して嵌まるものなので、クリアランスの範囲内でブラケット２ａ，２ｂに対する縦材３の内外方向の取付位置を調整可能である。よって、ブラケット２ａ，２ｂを取り付ける外壁１０が傾斜しているなどの種々の事情により、上下のブラケット２ａ，２ｂの内外方向位置が揃わない場合であっても、上下それぞれにおいてブラケット２ａ，２ｂに対する縦材３の内外方向の取付位置を調整することで、縦材３の傾斜角度を調整して、縦材３（パネル本体１）を垂直に取り付けることができる。そして、ボルト孔３１のボルト６に対するクリアランス寸法が、溝部４の挿嵌部５に対するクリアランス寸法以上なので、取付位置の調整時にボルト６がボルト孔３１に干渉しない。
【００１９】
さらに、このパネル体はベランダの手摺として用いられるものであるから、人がパネル本体１に寄り掛かって、外側向きの荷重が加わることが想定されるものであり、このような外側向きの荷重に対して、ブラケット２ａ，２ｂと外壁１０の連結部の強度が高い。すなわち、左側のブラケット２ａにおいては、ともに内外に連続する凹凸からなるブラケット２ａの被係合部２６と押圧具９の係合部９２が係合することで相互の内外方向の移動が規制されているので、外側向きの力に対してパネル本体１を確実に保持できる。また、右側のブラケット２ｂにおいては、ブラケット２ｂが外壁１０の内側の見付面に固定されているので、外側向きの力に対してパネル本体１を確実に保持できる。そして、パネル体の左右何れにおいても、ブラケット２ａ，２ｂによって、パネル本体１を、外壁１０のパネル本体１に対向する位置からずれた位置に固定するので、改修において既存のアンカーボルトなどが妨げになることはない。また、外壁１０のパネル本体１に対向する位置からずれた位置でも、元より埋め込まれた鉄筋が存在する場合があるが、押圧具９の係合部９２とブラケット２ａ，２ｂの被係合部２６が、ブラケット２ａ，２ｂが挿通孔２５の範囲内で押圧具９に対してずれても係合可能で、その範囲内で容易に位置調整ができるので、鉄筋を回避した位置にアンカーボルト８を設けることができ、調整量に応じて複数の部材を用意する必要がなく、施工性が良好で費用も抑えられる。そして、この挿通孔２５が略四角形なので、ブラケット２ａ，２ｂ及び押圧具９の大きさの範囲内で、位置調整可能な範囲を最大限大きくすることができる。また、ブラケット２ａ，２ｂの外壁側部２２の外壁１０に当接する面に形成した排水溝２７は、押圧具９の係合部９２とブラケット２ａ，２ｂの被係合部２６が当接する部分の僅かな隙間から浸入して挿通孔２５内にたまった雨水を排出するためのものである。
【００２０】
次に、図５に基づき、本発明のパネル体の第二実施形態について説明する。第二実施形態は、第一実施形態と比較して、ブラケット２ａ，２ｂと縦材３の連結部の構成が異なるものであり、その点について説明する。なお、図５はパネル体の左側部分を示すものであるが、右側部分についても同様である。
【００２１】
第二実施形態において、左側の縦材３は、断面略矩形の中空形材からなるものであって、その左側面（外壁１０側面）の内外方向中央部に、上下方向に延びる断面凸形の挿嵌部５を形成してあり、挿嵌部５の左側面（外壁１０側面）の内外方向中央部に、縦材３を左右方向に貫通する円形のボルト孔３１を形成してある。このボルト孔３１の内径は、挿入されるボルト６のネジ部の外径よりも大きく、ボルト孔３１の内径とボルト６のネジ部の外径の差が、ボルト孔３１のボルト６に対するクリアランス寸法となる。
【００２２】
左側のブラケット２ａは、第一実施形態と同様に、パネル本体１の縦材３に固定するパネル側部２１と、外壁１０に固定する外壁側部２２を有し、ブラケット２ａ全体で略Ｚ字形となっていて、外壁側部２２の形状は第一実施形態と同じである。パネル側部２１は、右側面（パネル本体１側面）の内外方向中央部に、上下方向に延びる断面凹形の溝部４を形成してある。溝部４の深さは、縦材３の挿嵌部５の突出高さと同じである。また、溝部４の内外方向幅は、縦材３の挿嵌部５の内外方向幅よりも大きく、溝部４の内外方向幅と縦材３の挿嵌部５の内外方向幅の差が、溝部４の挿嵌部５に対するクリアランス寸法となる。そして、この溝部４の挿嵌部５に対するクリアランス寸法は、上記のボルト孔３１のボルト６に対するクリアランス寸法以下の大きさとなっている。また、パネル側部２１の左側面（外壁１０側面）の溝部４の裏側位置に、上下方向に延びる断面凹形の溝状の係止部２３を形成してある。係止部２３は、内外方向幅がナット７を丁度挿入可能なものであって、挿入されたナット７が回動不能となる。さらに、係止部２３の底面の上下方向中央部に、パネル側部２１を左右方向に貫通する円形のボルト挿通孔２４を形成してある。このボルト挿通孔２４は、溝部４の内外方向中央部に位置し、その内径は、ボルト６のネジ部の外径と略同じである（ボルト６を挿入しやすくするため、多少のクリアランスは設けてある）。
【００２３】
そして、縦材３の左側面に、ブラケット２ａのパネル側部２１の右側面を当接させ、挿嵌部５は溝部４にクリアランスを有して嵌めてあり、クリアランスの範囲内で適宜内外方向の位置を調整してある。図５は、ブラケット２ａに対して縦材３が最も外側に位置しており、挿嵌部５の外側面５２が溝部４の外側の側壁４２に当接している状態を示している。そして、連通する縦材３のボルト孔３１及びブラケット２ａのボルト挿通孔２４に、縦材３側からボルト６を挿通し、ブラケット２ａの係止部２３に挿入したナット７に螺合させて縦材３とブラケット２ａをボルト止めしてある。ここで、ボルト孔３１のボルト６に対するクリアランス寸法Ｃ１（＝Ｃ１ａ＋Ｃ１ｂ）が、溝部４の挿嵌部５に対するクリアランス寸法Ｃ２以上の大きさとなっているので（Ｃ１≧Ｃ２）、ブラケット２ａに対して縦材３をどの位置に取り付けても、ボルト６がボルト孔３１に干渉しない。
【００２４】
このように構成した本発明のパネル体の第二実施形態によれば、ブラケット２ａ，２ｂの溝部４に対して、縦材３の挿嵌部５が、クリアランスを有して嵌まるものなので、クリアランスの範囲内でブラケット２ａ，２ｂに対する縦材３の内外方向の取付位置を調整可能である。よって、ブラケット２ａ，２ｂを取り付ける外壁１０が傾斜しているなどの種々の事情により、上下のブラケット２ａ，２ｂの内外方向位置が揃わない場合であっても、上下それぞれにおいてブラケット２ａ，２ｂに対する縦材３の内外方向の取付位置を調整することで、縦材３の傾斜角度を調整して、縦材３（パネル本体１）を垂直に取り付けることができる。そして、ボルト孔３１のボルト６に対するクリアランス寸法が、溝部４の挿嵌部５に対するクリアランス寸法以上なので、取付位置の調整時にボルト６がボルト孔３１に干渉しない。
【００２５】
次に、図６に基づき、本発明のパネル体の第三実施形態について説明する。第三実施形態は、第一実施形態と比較して、ブラケット２ａ，２ｂと縦材３の連結部の構成が異なるものであり、その点について説明する。なお、図６はパネル体の左側部分を示すものであるが、右側部分についても同様である。
【００２６】
第三実施形態において、左側の縦材３は、断面略矩形の中空形材からなるものであって、その左側面（外壁１０側面）の内外方向中央部に、上下方向に延びる断面凹形の溝部４を形成してある。溝部４の内外方向幅は、第一実施形態のものよりも大きい。そして、溝部４の底面の内外方向中央部に、縦材３を左右方向に貫通する円形のボルト孔３１を形成してある。このボルト孔３１の内径は、挿入されるボルト６のネジ部の外径よりも大きく、ボルト孔３１の内径とボルト６のネジ部の外径の差が、ボルト孔３１のボルト６に対するクリアランス寸法となる。
【００２７】
左側のブラケット２ａは、第一実施形態と同様に、パネル本体１の縦材３に固定するパネル側部２１と、外壁１０に固定する外壁側部２２を有し、ブラケット２ａ全体で略Ｚ字形となっていて、外壁側部２２の形状は第一実施形態と同じである。パネル側部２１は、右側面（パネル本体１側面）がフラットであり、パネル側部２１の右側部分の全体が、縦材３の溝部４に嵌まる挿嵌部５となっている。挿嵌部５（パネル側部２１）の内外方向幅は、縦材３の溝部４の内外方向幅よりも小さく、縦材３の溝部４の内外方向幅と挿嵌部５の内外方向幅の差が、溝部４の挿嵌部５に対するクリアランス寸法となる。そして、この溝部４の挿嵌部５に対するクリアランス寸法は、上記のボルト孔３１のボルト６に対するクリアランス寸法以下の大きさとなっている。また、パネル側部２１の左側面（外壁１０側面）の挿嵌部５の裏側位置に、上下方向に延びる断面凹形の溝状の係止部２３を形成してある。係止部２３は、内外方向幅がナット７を丁度挿入可能なものであって、挿入されたナット７が回動不能となる。さらに、係止部２３の底面の上下方向中央部に、パネル側部２１を左右方向に貫通する円形のボルト挿通孔２４を形成してある。このボルト挿通孔２４は、挿嵌部５の内外方向中央部に位置し、その内径は、ボルト６のネジ部の外径と略同じである（ボルト６を挿入しやすくするため、多少のクリアランスは設けてある）。
【００２８】
そして、縦材３の溝部４に、ブラケット２ａの挿嵌部５を、クリアランスを有して嵌めてあり、クリアランスの範囲内で適宜内外方向の位置を調整してある。図６は、ブラケット２ａに対して縦材３が最も外側に位置しており、挿嵌部５の内側面５１が溝部４の内側の側壁４１に当接している状態を示している。そして、連通する縦材３のボルト孔３１及びブラケット２ａのボルト挿通孔２４に、縦材３側からボルト６を挿通し、ブラケット２ａの係止部２３に挿入したナット７に螺合させて縦材３とブラケット２ａをボルト止めしてある。ここで、ボルト孔３１のボルト６に対するクリアランス寸法Ｃ１（＝Ｃ１ａ＋Ｃ１ｂ）が、溝部４の挿嵌部５に対するクリアランス寸法Ｃ２以上の大きさとなっているので（Ｃ１≧Ｃ２）、ブラケット２ａに対して縦材３をどの位置に取り付けても、ボルト６がボルト孔３１に干渉しない。
【００２９】
このように構成した本発明のパネル体の第三実施形態によれば、縦材３の溝部４に対して、ブラケット２ａ，２ｂの挿嵌部５が、クリアランスを有して嵌まるものなので、クリアランスの範囲内でブラケット２ａ，２ｂに対する縦材３の内外方向の取付位置を調整可能である。よって、ブラケット２ａ，２ｂを取り付ける外壁１０が傾斜しているなどの種々の事情により、上下のブラケット２ａ，２ｂの内外方向位置が揃わない場合であっても、上下それぞれにおいてブラケット２ａ，２ｂに対する縦材３の内外方向の取付位置を調整することで、縦材３の傾斜角度を調整して、縦材３（パネル本体１）を垂直に取り付けることができる。そして、ボルト孔３１のボルト６に対するクリアランス寸法が、溝部４の挿嵌部５に対するクリアランス寸法以上なので、取付位置の調整時にボルト６がボルト孔３１に干渉しない。
【００３０】
次に、図７に基づき、本発明のパネル体の第四実施形態について説明する。第四実施形態は、第一実施形態と比較して、ブラケット２ａ，２ｂと縦材３の連結部の構成が異なるものであり、その点について説明する。なお、図７はパネル体の左側部分を示すものであるが、右側部分についても同様である。
【００３１】
第四実施形態において、左側の縦材３は、断面略矩形の中空形材からなるものであって、その左側面（外壁１０側面）がフラットであり、縦材３の左側部分の全体が、ブラケット２ａの溝部４に嵌まる挿嵌部５となっており、挿嵌部５（縦材３）の左側面（外壁１０側面）の内外方向中央部に、縦材３を左右方向に貫通する円形のボルト孔３１を形成してある。このボルト孔３１の内径は、挿入されるボルト６のネジ部の外径よりも大きく、ボルト孔３１の内径とボルト６のネジ部の外径の差が、ボルト孔３１のボルト６に対するクリアランス寸法となる。
【００３２】
左側のブラケット２ａは、第一実施形態と同様に、パネル本体１の縦材３に固定するパネル側部２１と、外壁１０に固定する外壁側部２２を有し、ブラケット２ａ全体で略Ｚ字形となっていて（ただし、パネル側部２１は、パネル側部２１と外壁側部２２を接続する見付壁面よりも内側に突出している）、外壁側部２２の形状は第一実施形態と同じである。パネル側部２１は、右側面（パネル本体１側面）の内外方向中央部に、上下方向に延びる断面凹形の溝部４を形成してある。溝部４の内外方向幅は、挿嵌部５（縦材３）の内外方向幅よりも大きく、溝部４の内外方向幅と縦材３の挿嵌部５の内外方向幅の差が、溝部４の挿嵌部５に対するクリアランス寸法となる。そして、この溝部４の挿嵌部５に対するクリアランス寸法は、上記のボルト孔３１のボルト６に対するクリアランス寸法以下の大きさとなっている。また、パネル側部２１の左側面（外壁１０側面）の溝部４の裏側位置に、上下方向に延びる断面凹形の溝状の係止部２３を形成してある。係止部２３は、内外方向幅がナット７を丁度挿入可能なものであって、挿入されたナット７が回動不能となる。さらに、係止部２３の底面の上下方向中央部に、パネル側部２１を左右方向に貫通する円形のボルト挿通孔２４を形成してある。このボルト挿通孔２４は、溝部４の内外方向中央部に位置し、その内径は、ボルト６のネジ部の外径と略同じである（ボルト６を挿入しやすくするため、多少のクリアランスは設けてある）。
【００３３】
そして、ブラケット２ａの溝部４に、縦材３の挿嵌部５を、クリアランスを有して嵌めてあり、クリアランスの範囲内で適宜内外方向の位置を調整してある。図７は、ブラケット２ａに対して縦材３が最も外側に位置しており、挿嵌部５の外側面５２が溝部４の外側の側壁４２に当接している状態を示している。そして、連通する縦材３のボルト孔３１及びブラケット２ａのボルト挿通孔２４に、縦材３側からボルト６を挿通し、ブラケット２ａの係止部２３に挿入したナット７に螺合させて縦材３とブラケット２ａをボルト止めしてある。ここで、ボルト孔３１のボルト６に対するクリアランス寸法Ｃ１（＝Ｃ１ａ＋Ｃ１ｂ）が、溝部４の挿嵌部５に対するクリアランス寸法Ｃ２以上の大きさとなっているので（Ｃ１≧Ｃ２）、ブラケット２ａに対して縦材３をどの位置に取り付けても、ボルト６がボルト孔３１に干渉しない。
【００３４】
このように構成した本発明のパネル体の第四実施形態によれば、ブラケット２ａ，２ｂの溝部４に対して、縦材３の挿嵌部５が、クリアランスを有して嵌まるものなので、クリアランスの範囲内でブラケット２ａ，２ｂに対する縦材３の内外方向の取付位置を調整可能である。よって、ブラケット２ａ，２ｂを取り付ける外壁１０が傾斜しているなどの種々の事情により、上下のブラケット２ａ，２ｂの内外方向位置が揃わない場合であっても、上下それぞれにおいてブラケット２ａ，２ｂに対する縦材３の内外方向の取付位置を調整することで、縦材３の傾斜角度を調整して、縦材３（パネル本体１）を垂直に取り付けることができる。そして、ボルト孔３１のボルト６に対するクリアランス寸法が、溝部４の挿嵌部５に対するクリアランス寸法以上なので、取付位置の調整時にボルト６がボルト孔３１に干渉しない。
【００３５】
なお、本発明は、上記のとおり、ボルト孔のボルトに対するクリアランス寸法が、溝部の挿嵌部に対するクリアランス寸法以上の大きさとなっていることから、万が一、パネル体にボルトとナットによる摩擦力を越える力が作用して、ブラケットに対して縦材が移動したとしても、縦材のボルト孔の周縁部がボルトに接触するよりも先に、溝部の側壁が挿嵌部に面同士で接触する。ここで仮に、先にボルト孔の周縁部がボルトに接触すると、円形のボルト孔に対して断面円形のボルトが一点で接触し、その点に荷重が集中して、ボルトや縦材が変形・破損するおそれがある。しかしながら、このように溝部の側壁と挿嵌部が面同士で接触するので、荷重が分散され、かつボルトではなくブラケットが荷重を受けることになるので、各部の変形・破損のおそれがなく、強度が高い。
【００３６】
本発明は、上記の実施形態に限定されない。たとえば、溝部と挿嵌部の形状は、クリアランスを有して相互に嵌まるものであれば、どのようなものであってもよい。また、１つのパネル体において、上記の各実施形態の縦材とブラケットの連結部の構成を組み合わせて用いてもよい。さらに、左右のブラケットについて、両方とも第一実施形態における左側の略Ｚ字形のものを用いてもよいし、両方とも第一実施形態における右側の略Ｌ字形のものを用いてもよい。また、パネル本体の構成は、必要強度や意匠性などを考慮して、適宜変更できる。
【００３７】
さらに、本発明のパネル体は、上記の改修手摺のほか、新設手摺として用いることもできる。また、手摺以外の種々の用途の建材にも適用できるものであり、具体例として、集合住宅のベランダに設置される、隣室との仕切りとなるパーテーションなどが挙げられる。
【符号の説明】
【００３８】
１  パネル本体
２ａ，２ｂ  ブラケット
３  縦材
４  溝部
５  挿嵌部
６  ボルト
３１  ボルト孔
【図１】
2019002222.tif 000003
【図２】
2019002222.tif 000004
【図３】
2019002222.tif 000005
【図４】
2019002222.tif 000006
【図５】
2019002222.tif 000007
【図６】
2019002222.tif 000008
【図７】
2019002222.tif 000009
【図８】
2019002222.tif 000010